(57)【要約】      （修正有）【課題】１個の眼鏡で老眼鏡と拡大鏡の機能が達成でき、眼鏡収納ケースが小形となり携帯に便利な老眼鏡兼用拡大鏡を提供する。【解決手段】左右一対のテンプル２０，２１は、前部テンプル部２０ａ，２１ａと後部テンプル部２０ｂ，２１ｂとからなり、後部テンプル部２０ｂ，２１ｂの前部の軸部２３，２４が、前部テンプル部２０ａ，２１ａの長手方向の中空部２５，２６内へ伸縮自在に嵌挿される。さらに、後部テンプル部２０ｂ，２１ｂの軸部の内側面に突設したピン２８が、前部テンプル部２０ａ，２１ａの内側面に上記中空部２５，２６と連通するように形成された波形状の溝３０と係合し、後部テンプル部２０ｂ，２１ｂが段階的にその突出長さを調整できるように構成する。また、鼻パット部５１と鼻パット保持部５５とを結合した状態で、鼻パット保持部５５の上部をレンズ枠１０の後部中央に着脱自在に取り付けるように構成する。【選択図】図９
0003167006.tif 000002
【実用新案登録請求の範囲】
【請求項１】
レンズを嵌装した左右一対のレンズ枠と、レンズ枠に回動かつ折り畳み自在に設けた左右一対のテンプルと、両レンズ枠の内側同士間の後部中央に設けた鼻パット部材とを備えた老眼鏡兼用拡大鏡において、
前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝と係合し、後部テンプル部が段階的にその突出長さを調整できるように構成されていることを特徴とする老眼鏡兼用拡大鏡。
【請求項２】
前記鼻パット部材は、眼鏡装着者の鼻に当接する鼻パット部と、下部を前記鼻パット部に着脱自在に取り付けられると共に、上部をレンズ枠の後部中央に着脱自在に取り付けられる鼻パット保持部との２部材からなり、前記鼻パット部と鼻パット保持部とを結合した状態で、鼻パット保持部の上部をレンズ枠の後部中央に着脱自在に取り付けるように構成してあることを特徴とする請求項１に記載の老眼鏡兼用拡大鏡。
【請求項３】
前記後部テンプル部の軸部のピンを、前部テンプル部の波形状の溝の後部位置に係合してテンプルの全長を長くすると共に、鼻パット部材をレンズ枠の後部中央に結合した状態で装着することにより、拡大鏡として使用できる一方、
後部テンプル部の軸部のピンを、前部テンプル部の波形状の溝の前部位置に係合してテンプルの全長を短くすると共に、前記鼻パット部材をレンズ枠から取り外した状態で装着することにより、老眼鏡として使用できるように構成してあることを特徴とする請求項２に記載の老眼鏡兼用拡大鏡。
【請求項４】
前記老眼鏡兼用拡大鏡は、普通の視力補正用眼鏡の上からも装着できるようにしてある請求項１〜３のいずれかに記載の老眼鏡兼用拡大鏡。
【考案の詳細な説明】
【技術分野】
【０００１】
本考案は、普通の老眼鏡を拡大鏡としても使用できる老眼鏡兼用の拡大鏡に関する。
【背景技術】
【０００２】
従来、双眼式の拡大鏡として、実公平５−３１６１９号公報（特許文献１）に記載された双眼拡大鏡が知られている。
【０００３】
この特許文献１の双眼拡大鏡は、左右両眼の中間位置で一体的に接合した左右両眼用の凸レンズと、前記両凸レンズの外周端部にそれぞれ取り付けた折り畳み可能なつる（テンプル）と、前記両凸レンズの接合部に鼻当て支持杆を介して取り付けた鼻当てとによって、前記両凸レンズを保持するように構成してなるものである。
【０００４】
この特許文献１によれば、広い視野を確保することが可能となり、長時間にわたって使用しても疲労が増大せず、良好な両眼視を得ることができる。
【先行技術文献】
【特許文献】
【０００５】
【特許文献１】実公平５−３１６１９号公報
【考案の概要】
【考案が解決しようとする課題】
【０００６】
しかしながら、前記特許文献１の双眼拡大鏡は、（ａ）前記つる（テンプル）の長さが１７０ｍｍ（例えば１８０ｍｍ）以上であって、普通の眼鏡のつる（テンプル）の長さ１４０ｍｍ〜１４５ｍｍより、かなり長いので、双眼拡大鏡自体が大きくなるとともに、その双眼拡大鏡を収納する収納ケースも大形となり、携帯に不便であった。
【０００７】
（ｂ）また、特許文献１の双眼拡大鏡は、鼻当てを鼻梁に置いて見る対象物を拡大する拡大鏡の役割しか有しないものであって、これを老眼鏡として併用することはできなかった。
【０００８】
（ｃ）さらに、特許文献１の双眼拡大鏡では、両レンズの接合部に蝶番を介して鼻当て支持杆を固定し、該鼻当て支持杆の先端には蝶番を介して鼻当てを取り付けてあると共に、前記鼻当て支持杆の中間に湾曲部を形成し、この角度を調節することにより双眼拡大鏡の鼻への支持位置を容易に変更できるようにしてある。すなわち、この特許文献１のものは、鼻当て支持杆がレンズに固定してあり、前記鼻当ては屈曲自在としてあるものの、この鼻当て支持杆と鼻当てとを分離して前記レンズから着脱自在に取り外すものではないので、これを老眼鏡として使用できないものであった。
【０００９】
本考案は、上記従来の前記（ａ）、（ｂ）、（ｃ）等の問題を解消するために日夜研究の結果、案出したものであって、テンプルを伸縮自在にして、該テンプルの全長を伸ばした場合には拡大鏡として使用でき、テンプルの全長を短く縮めた場合には老眼鏡として使用できるようにし、さらに眼鏡不使用時にはテンプルを縮めて折り畳むことで、普通の眼鏡と同様に寸法が短くできて、その収納ケースも小形化となり、携帯に便利となり、さらにまた、鼻パッド部材は鼻パット部と鼻パット保持部との２部材で構成し、このパット構成ユニットを前記レンズ枠の後部中央に着脱自在に取り付けるようにして、従来のネジ止めのものに比べて簡単に組み付けできる上に、該パット構成ユニットをレンズ枠に結合すると共に、テンプルの全長を長くした場合には拡大鏡として使用できる一方、前記パット構成ユニットをレンズ枠から取り外すと共に、テンプルの全長を短くした場合には老眼鏡として使用できる。しかも、前部テンプル部に対して後部テンプル部の突出長さを段階的に調整することにより、眼鏡装着者の顔の大きさに対応することができる、などの利点を有する老眼鏡兼用拡大鏡を提供することを目的とする。
【課題を解決するための手段】
【００１０】
上記目的を達成するため、本考案の請求項１の老眼鏡兼用拡大鏡は、レンズを嵌装した左右一対のレンズ枠と、レンズ枠に回動かつ折り畳み自在に設けた左右一対のテンプルと、両レンズ枠の内側同士間の後部中央に設けた鼻パット部材とを備えた老眼鏡兼用拡大鏡において、
前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝と係合し、後部テンプル部が段階的にその突出長さを調整できるように構成されていることを特徴とする。
【００１１】
請求項２の老眼鏡兼用拡大鏡は、前記鼻パット部材は、眼鏡装着者の鼻に当接する鼻パット部と、下部を前記鼻パット部に着脱自在に取り付けられると共に、上部をレンズ枠の後部中央に着脱自在に取り付けられる鼻パット保持部との２部材からなり、前記鼻パット部と鼻パット保持部とを結合した状態で、鼻パット保持部の上部をレンズ枠の後部中央に着脱自在に取り付けるように構成してあることを特徴とする。
【００１２】
請求項３の老眼鏡兼用拡大鏡は、前記後部テンプル部の軸部のピンを、前部テンプル部の波形状の溝の後部位置に係合してテンプルの全長を長くすると共に、鼻パット部材をレンズ枠の後部中央に結合した状態で装着することにより、拡大鏡として使用できる一方、
後部テンプル部の軸部のピンを、前部テンプル部の波形状の溝の前部位置に係合してテンプルの全長を短くすると共に、前記鼻パット部材をレンズ枠から取り外した状態で装着することにより、老眼鏡として使用できるように構成してあることを特徴とする。
【００１３】
請求項４の老眼鏡兼用拡大鏡は、普通の視力補正用眼鏡の上からも装着できるようにしてあることを特徴とする。
【考案の効果】
【００１４】
本考案の請求項１の老眼鏡兼用拡大鏡によれば、前記左右一対のテンプルは、前部テンプル部と後部テンプル部とからなり、後部テンプル部の前部に形成した軸部が、前部テンプル部の長手方向に形成した中空部内へ伸縮自在に嵌挿されるようにしてあると共に、前記後部テンプル部の軸部の内側面に突設したピンが、前記前部テンプル部の内側面に上記中空部と連通するように形成された波形状の溝と係合し、後部テンプル部が段階的にその突出長さを調整できるように構成されていることから、後部テンプル部を段階的にその突出長さを調整することにより、テンプルの全体長さが眼鏡装着者の顔の大きさや鼻の高さ等に対応して調整できて、拡大鏡としての機能が達成できる。しかも、テンプルの全長を短く縮めた場合には老眼鏡としても使用できる。また、眼鏡不使用時にはテンプルを縮めて折り畳むことで、普通の眼鏡と同様に寸法が短くできて、その収納ケースも小形化できて、携帯に便利である。
【００１５】
請求項２の老眼鏡兼用拡大鏡によれば、前記鼻パット部材は、眼鏡装着者の鼻に当接する鼻パット部と、下部を前記鼻パット部に着脱自在に取り付けられると共に、上部をレンズ枠の後部中央に着脱自在に取り付けられる鼻パット保持部との２部材からなり、前記鼻パット部と鼻パット保持部とを結合した状態で、鼻パット保持部の上部をレンズ枠の後部中央に着脱自在に取り付けるように構成してあることから、従来のネジ止め式などの固定構造に比べて、鼻パッド部材が簡単に組み付けできる上に、前記鼻パット部材の鼻パット部と鼻パット保持部の少なくとも一方が損傷や破損等した場合に、当該部材を取り替えできるため、経済的で修理も簡単にできる利点がある。
【００１６】
請求項３の老眼鏡兼用拡大鏡によれば、前記後部テンプル部の軸部のピンを、前部テンプル部の波形状の溝の後部位置に係合してテンプルの全長を長くすると共に、鼻パット部材をレンズ枠の後部中央に結合した状態で装着することにより、拡大鏡として使用できる一方、後部テンプル部の軸部のピンを、前部テンプル部の波形状の溝の前部位置に係合してテンプルの全長を短くすると共に、前記鼻パット部材をレンズ枠から取り外した状態で装着することにより、老眼鏡として使用できるように構成してあることから、眼鏡装着者の顔の大きさや鼻の高さ等に対応して、拡大鏡として使用できるとともに、鼻パット部材をレンズ枠から取り外した状態で使用することにより、老眼鏡としても使用できる。
【００１７】
請求項４の老眼鏡兼用拡大鏡によれば、前記老眼鏡兼用拡大鏡は、普通の視力補正用眼鏡の上からも装着できるようにしてあることから、普通の眼鏡装着者が当該眼鏡と共に本考案品を拡大鏡として二重に装着して使用できる。
【図面の簡単な説明】
【００１８】
【図１】本考案に係る老眼鏡兼用拡大鏡の実施例１の全体斜視図である。
【図２】図１の正面図である。
【図３】背面図である。
【図４】左側面図である。
【図５】右側面図である。
【図６】平面図である。
【図７】底面図である。
【図８】テンプルを縮めて折り畳んだ状態の斜視図である。
【図９】後部テンプル部を最大限に引き伸ばした状態の斜視図である。
【図１０】後部テンプル部を前部テンプル部より取り外した状態の斜視図である。
【図１１】鼻パット部材をレンズ枠に結合した状態を示す斜視図である。
【図１２】鼻パット部と鼻パット保持部とを分離した状態を示す斜視図である。
【図１３】耳掛け部の滑り止め部分を分解した斜視図である。
【考案を実施するための形態】
【００１９】
本考案の好ましい実施形態を図１〜図１３に基づいて以下に説明する。
この老眼鏡兼用拡大鏡１は、レンズ１１、１２を嵌装した左右一対のレンズ枠１０、１０と、レンズ枠１０、１０に回動かつ折り畳み自在に設けた左右一対のテンプル２０、２１と、両レンズ枠１０，１０の内側同士間の後部中央に設けた鼻パット部材５０とを主要な構成要素としている。
【００２０】
前述した実施の形態の詳細は、以下に詳しく説明する実施例１を参照するとよい。
【００２１】
前記左右一対のレンズ枠１０，１０は、その内周面にレンズ１１，１２を嵌装するための環状凹溝１０ａ，１０ａが形成されており、該環状凹溝１０ａ，１０ａにレンズ１１，１２が嵌装されている。
このレンズ枠１０，１０は、本実施例では合成樹脂製であるので、左レンズ枠１０と右レンズ枠１０とは内側同士の上部をブリッジで架橋するように一体成形してある。
【００２２】
前記左右一対のテンプル２０，２１は、それぞれ前部テンプル部２０ａ，２１ａと後部テンプル部２０ｂ，２１ｂとからなっている。前部テンプル部２０ａ，２１ａの前端には小突起（図８の２２参照）が突設されている。この小突起２２は、レンズ枠１０，１０の左右端の後部に形成された双股部１３（図１２参照）に嵌入されネジ１４で枢支されている。これにより、テンプル２０，２１は、前記ネジ１４を回動中心として、レンズ枠１０，１０に対し回動かつ折り畳み自在にしてある。後部テンプル部２０ｂ，２１ｂの前部に形成した軸部２３，２４（図９、図１０参照）が、前部テンプル部２０ａ，２１ａの長手方向に形成した中空部２５，２６（図９、図１０参照）内へ伸縮自在に嵌挿されるようにしてあると共に、前記後部テンプル部２０ｂ，２１ｂの軸部２３，２４の内側面に突設したピン２７，２８（図１０参照）が、前記前部テンプル部２０ａ，２１ａの内側面に上記中空部２５，２６と連通するように形成された波形状の溝２９，３０（図８参照）と係合し、後部テンプル部２０ｂ，２１ｂが段階的にその突出長さを調整できるように構成されている。
【００２３】
すなわち、この実施例では、前部テンプル部２０ａ，２１ａに形成された波形状の溝２９，３０には、図９及び図１０に示すように、長手方向に６個の係合部２９ａ、２９ｂ、２９ｃ、２９ｄ、２９ｅ、２９ｆ（図示せず）、３０ａ、３０ｂ、３０ｃ、３０ｄ、３０ｅ、３０ｆ（図９，図１０参照）が形成されており、これらの任意の係合部に前記ピン２７，２８を係合することにより、後部テンプル部２０ｂ，２１ｂの突出長さが６段階に調節できるようにしてある。例えば、図１〜図８では、前記ピン２７，２８は波形状の溝２９，３０の最前部の係合部２９ａ、３０ａ（図示せず）に係合されており、この場合のテンプル２０，２１の全長は最も短い。一方、図９に示すように、前記ピン２７，２８が波形状の溝２９，３０の最後部の係合部２９ｆ、３０ｆに係合されている場合には、テンプル２０，２１の全長は最も長い。このようにして、テンプル２０，２１の全長を６段階に調節することができる。
なお、係合部２９ａ・・・２９ｆ、３０ａ・・・３０ｆは、本実施例では６個形成しているが、これに限らず、６個以下又は以上でもよい。
【００２４】
前記テンプル２０，２１の後部テンプル部２０ｂ，２１ｂの耳掛け部には、図３や図１３に示すように、貫通孔３２，３３を穿設してあり、この貫通孔３２，３３の内側から滑り止め部材３４，３５を圧入嵌合している。この滑り止め部材３４，３５は、図１、図９、図１０及び図１３に示されているように、合成樹脂やゴム製のものであって、その内側は波形状に形成してあるとともに、外側には前記貫通孔３２，３３に圧入嵌合するための脚部３４ａ、３５ａが形成されている。
【００２５】
前記鼻パット部材５０は、眼鏡装着者の鼻に当接する鼻パット部５１と、下部を前記鼻パット部５１に着脱自在に取り付けられると共に、上部をレンズ枠１０の後部中央に着脱自在に取り付けられる鼻パット保持部５５との２部材からなり、前記鼻パット部５１と鼻パット保持部５５とを結合した状態で、鼻パット保持部５５の上部をレンズ枠の後部中央に着脱自在に取り付けるように構成してある。前記鼻パット部５１は、材質を限定しないが、軟質性合成樹脂で製造したものが好ましく、また該鼻パット部５１の一部には鼻パット保持部５５の双股状の下部を着脱自在に嵌入する嵌合孔５２，５２が形成されている。一方、鼻パット保持部５５は硬質性合成樹脂で製造したものが好ましく、その上部には係合部５６が形成されていると共に、前記レンズ枠１０の後部中央の上部位置には、前記鼻パット保持部５５の係合部５６が着脱自在に係合される係合孔１５が形成されている。
【００２６】
それゆえ、鼻パット部５１の嵌合孔５２に鼻パット保持部５５の双股状の下部（脚部）を嵌合して、鼻パット保持部５５の係合部５６をレンズ枠１０の係合孔１５に係合することにより、鼻パット部材５０がレンズ枠１０に簡単に装着される（図１１参照）。
【００２７】
図１１の如く鼻パット部材５０（鼻パット部５１と鼻パット保持部５５）がレンズ枠１０に装着されている状態から、鼻パット部材５０を取り外す場合には、鼻パット保持部５５を手で把持して上方へ引き抜いて、前記係合部５６をレンズ枠１０の係合孔１５から取り外すとよい。また、その状態で、鼻パット保持部５５の下部（脚部）を鼻パット部５１の嵌合孔５２から取り外すこともできる（図１２参照）。
【００２８】
本考案の老眼鏡兼用拡大鏡１の使用方法の一例を以下に説明する。
図１に示されているように、後部テンプル部２０ｂ，２１ｂの軸部２３，２４のピン２７，２８を、前部テンプル部２０ａ，２１ａの波形状の溝２９，３０の前部位置に係合してテンプル２０，２１の全長を短くすると共に、図１の鼻パット部材５０をレンズ枠１０から取り外した状態で装着することにより、老眼鏡として使用できる。
【００２９】
一方、図９に示されているように、後部テンプル部２０ｂ，２１ｂの軸部２３，２４のピン２７，２８を、前部テンプル部２０ａ，２１ａの波形状の溝２９，３０の例えば最後部位置に係合してテンプル２０，２１の全長を長くすると共に、鼻パット部材５０をレンズ枠１０の後部中央に結合した状態で装着することにより、拡大鏡として使用できる。
この場合、前部テンプル部２０ａ、２１ａと後部テンプル部２０ｂ、２１ｂとのテンプル２０，２１の長さは、前述したように、後部テンプル部２０ｂ、２１ｂのピン２７，２８を前部テンプル部２０ａ、２１ａの波形状の溝２９，３０への係合位置を適宜選定することにより、装着者の顔の大きさに対応して、テンプルの全長を調節し拡大鏡として使用できる。また、拡大鏡として使用する場合は、普通の眼鏡の上からも装着することができる。
【００３０】
なお、レンズ枠１０の後部中央に鼻パッド部材５０を結合したままで、図１に示すように、テンプルの全長を短くして、鼻パッド部を鼻の上部に装着した場合は老眼鏡として使用することができ、図９に示すように、テンプルの全長を長くして、鼻パッド部を鼻の下部に装着した場合は拡大鏡として使用することもできる。
【００３１】
レンズとしては、ガラス又は合成樹脂の材料からなる光学用を使用しているので、文字等のゆがみが少ない。合成樹脂の材料で製造する場合には、精度の高い射出成形法で製品化する方がよい。
なお、図９〜図１２ではレンズを取り外した状態で図示している。
【００３２】
この実施例では、レンズ枠１０、テンプル２０，２１及び鼻パット部材５０の全部を合成樹脂で製作しているので、金属製のものに比べて、重さが軽く、人間の肌に接する部分が柔らかく掛け心地がよい。しかし、本考案では、上記部材の少なくとも１つ以上又は全部が金属製である場合を除外するものではない。
【符号の説明】
【００３３】
１    老眼鏡兼用拡大鏡
１０    レンズ枠
１１    レンズ
１２    レンズ
１４    ネジ
１５    係合孔
２０    テンプル
２０ａ  前部テンプル部
２０ｂ  後部テンプル部
２１    テンプル
２１ａ  前部テンプル部
２１ｂ  後部テンプル部
２２    小突起
２３    軸部
２４    軸部
２５    中空部
２６    中空部
２７    ピン
２８    ピン
２９    波形状の溝
３０    波形状の溝
３２    貫通孔
３３    貫通孔
３４    滑り止め部材
３５    滑り止め部材
５０    鼻パット部材
５１    鼻パット部
５２    嵌合孔
５５    鼻パット保持部
５６    係合部
【図１】
0003167006.tif 000003
【図２】
0003167006.tif 000004
【図３】
0003167006.tif 000005
【図４】
0003167006.tif 000006
【図５】
0003167006.tif 000007
【図６】
0003167006.tif 000008
【図７】
0003167006.tif 000009
【図８】
0003167006.tif 000010
【図９】
0003167006.tif 000011
【図１０】
0003167006.tif 000012
【図１１】
0003167006.tif 000013
【図１２】
0003167006.tif 000014
【図１３】
0003167006.tif 000015